(57)【要約】【課題】うつ伏せ状態で体に負担なく長時間横たわることができるベッドを提供すること。【解決手段】ベッド１が、頭部側表面中央に、少なくとも利用者Ｕの鼻を収容する大きさの凹部が設けられたマット部３と、マット部３が載置される床面本体１０ａが設けられたフレーム部と、を備え、フレーム部が、フレーム部本体１０と、フレーム部本体１０から頭部側の隅部が分離してなる一対のフレーム隅部１１，１２と、一対のフレーム隅部１１，１２の床面隅部１１ａ，１２ａを床面本体１０ａ位置よりも低位方向に移動して所望の位置に停止させ、かつ床面本体１０ａ位置まで復帰させるジャッキ部（駆動部）１３と、を備えている。【選択図】図３
2013039264.tif 000002
【特許請求の範囲】
【請求項１】
頭部側表面中央に、少なくとも利用者の鼻を収容する大きさの凹部が設けられたマット部と、
該マット部が載置される床面が設けられたフレーム部と、を備え、
該フレーム部が、フレーム部本体と、
該フレーム部本体から頭部側の隅部が分離してなる一対のフレーム隅部と、
前記一対のフレーム隅部を前記フレーム部本体の前記床面位置よりも低位方向に移動して所望の位置に停止させ、かつ前記床面位置まで復帰させる駆動部と、
を備えていることを特徴とするベッド。
【請求項２】
前記マット部が、マット部本体と、
該マット部本体から頭部側の隅部が分離してなり、前記一対のフレーム隅部にそれぞれ載置される一対のマット隅部と、
を備えていることを特徴とする請求項１に記載のベッド。
【発明の詳細な説明】
【技術分野】
【０００１】
本発明は、ベッドに関する。
【背景技術】
【０００２】
入院が必要な眼科手術として、例えば、網膜剥離といった疾病を治癒させる手術がある。この網膜剥離の手術後のしばらくの間、患者はベッドの上でうつ伏せ状態になって頭を固定しておく必要がある。
【０００３】
ただし、通常の入院用ベッドは仰向け状態を想定して作られているため、そのままうつ伏せになった場合には呼吸しづらくなる等の不都合が生じやすく、術後の患者がうつ伏せ状態で長時間横たわることは難しい。そこで、うつ伏せ状態を維持しやすくするための様々な眼科用枕が提案されている（例えば、特許文献１参照。）。しかし、眼科用枕を使用した場合、顔面がベッドマットの上面よりも上側になるので枕が高いと背中が反った状態となり、長時間うつ伏せ状態を続けると頸椎まわりの負担が大きくなってしまう。
【０００４】
一方、例えば、人の顔の大きさよりやや小さい楕円形状に形成された凹部がマット上面に設けられて、鼻や顔を凹部に挿入した状態でうつ伏せになることができるベッドが提案されている（例えば、特許文献２参照。）。
【先行技術文献】
【特許文献】
【０００５】
【特許文献１】実用新案登録第３０６５９６２号公報
【特許文献２】実用新案登録第３１０５５６１号公報
【発明の概要】
【発明が解決しようとする課題】
【０００６】
しかしながら、上記特許文献２に記載のベッドは、主にマッサージ等の施術の際に用いられるものなので、肩幅が十分でなく、眼科手術後、長時間うつ伏せ状態を維持するには不向きである。
【０００７】
本発明は上記事情に鑑みて成されたものであり、うつ伏せ状態で体に負担なく長時間横たわることができるベッドを提供することを目的とする。
【課題を解決するための手段】
【０００８】
本発明は、上記課題を解決するため、以下の手段を採用する。
本発明に係るベッドは、頭部側表面中央に、少なくとも利用者の鼻を収容する大きさの凹部が設けられたマット部と、該マット部が載置される床面が設けられたフレーム部と、を備え、該フレーム部が、フレーム部本体と、該フレーム部本体から頭部側の隅部が分離してなる一対のフレーム隅部と、前記一対のフレーム隅部を前記フレーム部本体の前記床面位置よりも低位方向に移動して所望の位置に停止させ、かつ前記床面位置まで復帰させる駆動部と、を備えていることを特徴とする。
【０００９】
この発明は、凹部に鼻を埋めて両腕を頭部側に伸ばした状態でうつ伏せになったときに、腕が載置される部位となる一対のフレーム隅部の床面位置が駆動部によりフレーム部本体の床面位置よりも低位方向に移動するものである。そのため、両腕の位置が顔面位置よりも下側になるので、楽な姿勢でうつ伏せ状態を維持することができる。また、駆動部によりフレーム部本体の床面位置に対してフレーム隅部の床面位置の高さを自由に設定でき、利用者の腕の長さや寝心地に応じて楽な姿勢をとれるように調節することができる。
【００１０】
また、本発明は、前記ベッドであって、前記マット部が、マット部本体と、該マット部本体から頭部側の隅部が分離してなり、前記一対のフレーム隅部にそれぞれ載置される一対のマット隅部と、を備えていることを特徴とする。
【００１１】
この発明は、フレーム部の一部だけでなくマット部の一部もともに移動させるもので、腕の位置をより好適な位置に調節することができる。
【発明の効果】
【００１２】
本発明によれば、うつ伏せ状態で体に負担なく長時間横たわることができる。
【図面の簡単な説明】
【００１３】
【図１】本発明の一実施形態に係るベッドを示す平面図である。
【図２】本発明の一実施形態に係るベッドにうつ伏せ時の（ａ）初期状態、（ｂ）腕を下げた状態、を示す側面図である。
【図３】本発明の一実施形態に係るベッドにうつ伏せ時の（ａ）初期状態、（ｂ）腕を下げた状態、を示す正面図である。
【発明を実施するための形態】
【００１４】
本発明に係る一実施形態について、図１から図３を参照して説明する。
本実施形態に係るベッド１は、頭部側表面中央に、少なくとも利用者Ｕの鼻を収容することができる程度の大きさの凹部２が設けられたマット部３と、このマット部３が載置されるフレーム部５と、を備えている。
【００１５】
マット部３は、マット部本体６と、マット部本体６から頭部側の隅部が分離してなる一対のマット隅部７，８と、を備えている。なお、凹部２を塞ぐ不図示の蓋部を設けてもよい。また、マット部３は、種々のマットレスやボックスボトムを含んでもよい。
【００１６】
一対のマット隅部７，８は、利用者Ｕがマット部３上にうつ伏せ状態になり、さらに両腕を上げた状態となったとき、肩から先の部分が載置される領域にそれぞれ配されている。
【００１７】
フレーム部５は、フレーム部本体１０と、一対のフレーム隅部１１，１２と、ジャッキ部（駆動部）１３と、脚部１５と、ジャッキ部１３を支える支持部材１６と、を備えている。
【００１８】
フレーム部本体１０には、マット部本体６が載置される床面本体（床面）１０ａが設けられている。フレーム部本体１０は脚部１５によって支持されている。
【００１９】
一対のフレーム隅部１１，１２は、フレーム部本体１０から頭部側の隅部がフレーム部本体１０に対して移動できるように分離されて形成され、一対のマット隅部７，８がそれぞれ載置される床面隅部（床面）１１ａ，１２ａが設けられている。
【００２０】
ジャッキ部１３はパンタグラフ式のジャッキ構造とされ、一対のフレーム隅部１１，１２の床面隅部１１ａ，１２ａを床面本体１０ａ位置よりも低位方向に移動して所望の位置に停止させ、かつ床面本体１０ａ位置まで復帰させるように、一対のフレーム隅部１１，１２の下側に配された支持部材１６上、かつ、フレーム隅部１１の下側及びフレーム隅部１２の下側にそれぞれ一つずつ配されている。２つのジャッキ部１３は操作部分が連結されており、一の操作によって両方のジャッキ部１３が同時に上下移動できるようになっている。そして、ジャッキ部１３は、一対のフレーム隅部１１，１２を上方向に移動させたとき、フレーム部本体１０の床面本体１０ａと一対のフレーム隅部１１，１２の床面隅部１１ａ，１２ａとが同じ位置になるまでジャッキアップできるよう、支持部材１６とともにその位置が調節されている。
【００２１】
次に、本実施形態に係るベッド１の作用効果について説明する。
まず、フレーム部本体１０の床面本体１０ａと一対のフレーム隅部１１，１２の床面隅部１１ａ，１２ａとが同じ位置になるようにジャッキ部１３をジャッキアップさせる。その状態で、利用者Ｕは鼻がマット部本体６の凹部２内に収容されるようにうつ伏せ状態となり、両腕をそれぞれ一対のマット隅部７，８上に載置する。
【００２２】
続いて、不図示の介助者がジャッキ部１３を操作して、一対のフレーム隅部１１，１２を下方に移動させる。このとき、一対のマット隅部７，８も下方に移動する。これにより、腕が載置される部位となる一対のフレーム隅部１１，１２の床面隅部１１ａ，１２ａの高さが、フレーム部本体１０の床面本体１０ａの高さよりも低位方向に移動するので、利用者Ｕの両腕の高さが顔面位置よりも下方に移動する。そして、利用者が楽な位置でジャッキ部１３の駆動を停止することにより、両腕が利用者Ｕにとって好適な位置で固定支持される。
【００２３】
このベッド１によれば、利用者Ｕの両腕の位置を顔面位置よりも下側にすることができ、利用者Ｕは楽な姿勢でうつ伏せ状態を維持することができる。また、ジャッキ部１３によりフレーム部本体１０の床面本体１０ａに対する一対のフレーム隅部１１，１２の床面隅部１１ａ，１２ａの相対高さを自由に設定できるので、利用者Ｕの腕の長さや寝心地に応じて楽な姿勢をとれるように調節することができる。この際、２つのジャッキ部１３が連結されているので、一の操作で素早く所望の位置まで同じ高さで一対のフレーム隅部１１，１２を移動することができる。
【００２４】
さらに、一対のフレーム隅部１１，１２だけでなく一対のマット隅部７，８をともに移動することにより、両腕の位置をより好適な位置に調節することができる。
【００２５】
なお、本発明の技術範囲は上記実施の形態に限定されるものではなく、本発明の趣旨を逸脱しない範囲において種々の変更を加えることが可能である。
例えば、上記実施形態では、マット部３がマット部本体６と一対のマット隅部７，８とに分離されているとしているが、両者が一体となったマット部であっても構わない。この場合でも、一対のフレーム隅部１１，１２の上下移動にともない、これに載置されたマット部部分も上下移動させることができ、同様の作用効果を奏することができる。
【００２６】
また、駆動部をパンタグラフ式のジャッキ部１３としているが、これに限定されるものでなく、公知の他の形式のジャッキや油圧駆動等のものでもよい。また、フレーム部本体１０に対して一対のフレーム隅部１１，１２を相対移動させることができるものであれば他の方式のものでも構わない。
【００２７】
さらに、一対のフレーム隅部１１，１２の移動方向は上下移動に限らず、重力方向に対して前方側斜め下方向に移動させるようにしてもよい。
【００２８】
また、上記実施形態では眼科用のベッドとしているが、これに限らず、うつ伏せ状態を楽に維持させるための用途として利用してもよい。
【符号の説明】
【００２９】
１  ベッド
２  凹部
３  マット部
５  フレーム部
６  マット部本体
７，８  一対のマット隅部
１０  フレーム部本体
１０ａ  床面本体（床面）
１１，１２  一対のフレーム部隅部
１１ａ，１２ａ  床面隅部（床面）
１３  ジャッキ部（駆動部）
【図１】
2013039264.tif 000003
【図２】
2013039264.tif 000004
【図３】
2013039264.tif 000005